(57)【特許請求の範囲】
【請求項１】
脱ぷ風選部（Ａ）と、玄米と籾の混合米を選別する揺動選別部（Ｂ）と、揺動選別したものを精白する精米部（Ｃ）とからなる籾摺精米機であって、揺動選別板（１）の揺動作用によって混合米中の玄米と籾が該板（１）上で偏流して形成する玄米域（ｘ）と混合米域（ｙ）とから流出するものを精米部（Ｃ）に供給し、籾域（ｚ）から流出する籾を脱ぷ風選部（Ａ）に還元する構成にしたことを特徴とする籾摺精米機。
【請求項２】
揺動選別板（１）を数枚積み重ねて多段にし、その多段にした揺動選別板（１）のうち、１段、または、複数段のものの玄米域（ｘ）と混合米域（ｙ）とから流出するものを精米部（Ｃ）に供給し、残りの揺動選別板（１）の玄米域（ｘ）から流出する玄米を機外に取出すとともに、混合米域（ｙ）のものを揺動選別部（Ｂ）に還元する構成にしたことを特徴とする請求項１．記載の籾摺精米機。
【請求項３】
玄米域（ｘ）と混合米域（ｙ）の流出がわに切替弁（２）を設けて、精米部（Ｃ）への供給と、機外取出し及び揺動選別部（Ｂ）への還元を切替自在に構成したことを特徴とする請求項２．記載の籾摺精米機。
【請求項４】
脱ぷ風選部（Ａ）を通過した玄米と籾の混合米を揺動選別部（Ｂ）に供給する連通経路（３）を分岐し、その分岐路（４）を精米部（Ｃ）に連通するとともに、該分岐部に切換弁（５）を設け、脱ぷ風選後の混合米を直接精米部（Ｃ）に供給する構成にしたことを特徴とする請求項１．記載の籾摺精米機。
【発明の詳細な説明】
【０００１】
【産業上の利用分野】
本発明は、脱ぷ風選と、玄米と籾の混合米を選別する揺動選別部と、揺動選別したものを精白する精米部とからなる籾摺精米機に関する発明である。
【０００２】
【従来の技術】
従来、コンバイン等によって収穫された生籾は乾燥機により処理されたのち籾摺機にかけられて玄米にし保管するのである。そして、玄米で保管したものを精米機により精白して白米にし炊飯する。しかし、玄米にして保管すると食味が低下するから、近年必要量に応じて籾から白米を得るようにした籾摺精米機なるものが出現している。ところで、この籾摺精米機は従来の籾摺機によって得た玄米を精米機に供給して白米にするものである。
【０００３】
【発明が解決しようとする課題】
このように、今までの籾摺精米機は、籾摺機によって玄米にしたものを精米機により精白するものであるから、精米機では玄米のみが精白作用を受けるようになり精白効率の面で向上の余地が残されている。そこで、本発明は玄米中に適量の籾を混入させることにより籾殻が媒介物となって精白作用を一層促進させることに着目し、しかも、玄米に対する籾の混入比が３〜５パ−セントであることが好ましいことから、揺動選別板上の玄米域と混合米域とから流出するものを精米機に供給して玄米中に適量の籾を混入させるようにし、籾殻を媒介物として精白効率を向上させるとともに、玄米中に適量の籾を混入するための格段の方途を講ずることなくこれを可能にして機体もシンプルなもので提供しようとするを目的として発明されたものである。
【０００４】
【課題を解決するための手段】
そこで、本発明は上記の目的を達成させるために、脱ぷ風選部と、玄米と籾の混合米を選別する揺動選別部と、揺動選別したものを精白する精米部とからなる籾摺精米機であって、揺動選別板の揺動作用によって混合米中の玄米と籾が該板上で偏流して形成する玄米域と混合米域とから流出するものを精米部に供給し、籾域から流出する籾を脱ぷ風選部に還元する構成にしたことを特徴とするものである。
【０００５】
【作用】
このように構成することによって、脱ぷ風選部を通過した玄米と籾の混合米は揺動選別部に供給されて、揺動選別板の揺動作用により偏流し揺上げがわの玄米域に玄米層を、揺下げがわの籾域に籾層を、玄米域と籾域の間の混合米域に混合米層をそれぞれ生成して排出がわから流出するのであるが、この玄米域と混合米域とから流出する玄米と混合米が精米部に供給されて精米部には適量の籾が混入したものが供給されるようになり、その籾が精白作用の始期に脱ぷされ、脱ぷした籾殻が媒介物となって精白作用を促進して白米にし、籾域から流出する籾は脱ぷ風選部に返され再脱ぷが行われて風選される。
【０００６】
【実施例】
以下、本発明による籾摺精米機について例図を参照し具体的に説明すると、この籾摺精米機は脱ぷ風選部（Ａ）に揺動選別部（Ｂ）を隣接し、揺動選別部（Ｂ）の側部に精米部（Ｃ）と石抜き部（Ｄ）を上下にして配設し、これら各部を一体的に組成して構成している。
【０００７】
脱ぷ風選部（Ａ）は籾漏斗（６）と一対の脱ぷロ−ル（７）および吸引排塵ファン（８）の回転により吹流する選別風路（９）と混合米横送樋（１０）等から成り、揺動選別部（Ｂ）は数枚のものを積み重ねて多段にした揺動選別板（１）と、この各揺動選別板（１）に混合米を分配する配分ボックス（１１）と揺動選別板（１）により選出されるものを受ける取出ケ−ス（１２）および揺動選別板（１）に斜め上下の横方向に揺動運動を与える揺動機構（図示省略）から構成され、精米部（Ｃ）は玄米漏斗（１３）と回転自在に横架された研削ロ−ル（１４）と、研削ロ−ル（１４）を囲繞して精穀室（１５）を形成する６角形状の除糠壁（１６）等から成り、また、石抜き部（Ｄ）は噴風孔を無数に穿設した揺動板（１７）と揺動板（１７）の下側に設けた噴風起風用のファン（１８）等から構成されている。
【０００８】
即ち、籾タンク（１９）内の籾は２連昇降機の籾揚上室（２０）を揚上し籾供給樋（２１）から脱ぷ風選部（Ａ）の籾漏斗（６）に投入されて脱ぷ風選され、籾殻と粃類は排塵筒（２２）と粃樋（２３）からそれぞれ機外に排出され混合米横送樋（１０）に流入した混合米は他側に向け横送されたのち２連昇降機の混合米揚上室（２４）を揚上し混合米供給樋（２５）により揺動選別部（Ｂ）の配分ボックス（１１）に貯留されながら多段に設けた各揺動選別板（１）の供給がわに供給されて揺動運動により偏流し、玄米は揺上げがわの玄米域（ｘ）に玄米層を、揺下げがわの籾域（ｚ）には籾層を、また、中間の混合米域（ｙ）に混合米層をそれぞれ生成して排出がわから流出する。
【０００９】
そして、この流出するもののうち、玄米域（ｘ）から流出するものは取出ケ−ス（１２）内に立設する玄米仕切板（２６）により案内されて玄米出口（２７）から落下し玄米移送樋（２８）を経て玄米昇降機（２９）により揚上して取出され、混合米域（ｙ）から流出するものは前記の玄米仕切板（２６）と籾仕切板（３０）の間を通って混合米出口（３１）から落下し、前記混合米横送樋（１０）に落入して再び混合米揚上室（２４）内を揚上ののち揺動選別部（Ｂ）に返されて選別され、籾域（ｚ）から流出するものは籾出口（３２）から落下し前記の籾タンク（１９）に返されて再度脱ぷ風選部（Ａ）で脱ぷ風選されるのである。
【００１０】
なお、前記の玄米仕切板（２６）の横方向の調節はこの玄米仕切板（２６）を単独で移動可能にし、籾仕切板（３０）はこれを単独で移動させるようにしたものではなく、取出ケ−ス（１２）全体を揺動選別板（１）に対して移動せるようにして、玄米域（ｘ）と混合米域（ｙ）と籾域（ｚ）とから流出するものをそれぞれ案内して玄米出口（２７）と混合米出口（３１）と籾出口（３２）から落下させるのである。
【００１１】
次に、前記揺動選別板（１）の玄米域（ｘ）と混合米域（ｙ）とから流出するものを受ける取出ケ−ス（１２）の部分の背部には分流ケ−ス（３３）が一体的に取着され、その分流ケ−ス（３３）の取出口（３４）は前記混合米横送樋（１０）を一側がわに延長して混合米横送樋（１０）と異方向に横送する取出横送樋（３５）にのぞませ、その取出横送樋（３５）の終端部はスロワ−（３６）の下部に連通するとともに上端部を前記精米部（Ｃ）の玄米漏斗（１３）上に位置させてある。
【００１２】
そして、多段にした前記揺動選別板（１）のうち最上段の１段のものの玄米域（ｘ）と混合米域（ｙ）から流出するものを取出ケ−ス（１２）と分流ケ−ス（３３）とに切替える切替弁（２）が設けられ、この切替弁（２）を軸（３７）を支点にして倒伏すると、流出するものが切替弁（２）上を流動して分流ケ−ス（３３）内に入りスロワ−（３６）を介して精米部（ｃ）に供給されて精白したのち石抜き部（Ｄ）で白米中の異物が取り除かれるのである。また、切替弁（２）を倒伏の状態から回動させて起立させると分流ケ−ス（３３）内に案内されていたものが取出ケ−ス（１２）内に案内されるようになるのである。
【００１３】
したがって、切替弁（２）を「図１」に実線で示す倒伏状態にすることにより、揺動選別板（１）のうち最上段のものの玄米域（ｘ）と混合米域（ｙ）から流出するものが「図３」に矢印（イ）と（ロ）で示すように分流ケ−ス（３３）内に入って合流し玄米中に適量の籾が混入したものが取出横送樋（３５）からスロワ−（３６）を介して精米部（Ｃ）に供給されて精白される。この精白作用の始期において混入している籾が脱ぷされ籾殻が媒介物となって精白作用が促進され白米にしたのち石抜き部（Ｄ）で白米中の異物が除去される。
【００１４】
そして、２段目以下の残りの揺動選別板（１）の玄米域（ｘ）から流出する玄米は点線（ハ）のように取出ケ−ス（１２）内に入り玄米出口（３４）から玄米移送樋（２８）を経て玄米昇降機（２９）により機外に取出され、混合米域（ｙ）から流出する混合米は点線（ニ）のように取出ケ−ス（１２）内に入り混合米出口（３１）から混合米横送樋（１０）に落下し横送ののち混合米揚上室（２４）を揚上し混合米供給樋（２５）から揺動選別部（Ｂ）に還元されて再選別され、また、揺動選別板（１）の全段のものの籾域（ｚ）から流出する籾は点線（ホ）の如く取出ケ−ス（１２）内に入り籾出口（３２）から籾タンク（１９）に返され再度脱ぷ風選部（Ａ）で脱ぷ風選されるのである。
【００１５】
また、切替弁（２）を「図１」に矢印（ヘ）で示すように回動して起立状態に切替えると、最上段の揺動選別板（１）の玄米域（ｘ）と混合米域（ｙ）からそれぞれ流出する玄米と混合米も取出ケ−ス（１２）内で２段目以下のものと各別に合流して玄米は機外に取出され、混合米は揺動選別部（Ｂ）に還元され再選別されるのである。
【００１６】
なお、前記切替弁（２）は最上段のものの玄米域（ｘ）と混合米域（ｙ）とから流出するものを切替える構成のものにして説明したが、２段目以下の複数段のものを切替るようにしてもよいのである。
【００１７】
以上のように、この発明による籾摺精米機を組成するところの揺動選別部（Ｂ）を構成している揺動選別板（１）は数枚のものを積み重ねて多段にしたもので説明したのであるが、揺動選別板（１）を１枚で構成する揺動選別部（Ｂ）でもよく、要するに、この発明は揺動選別板（１）の玄米域（ｘ）と混合米域（ｙ）に生成される玄米層と混合米層のものを精米部（Ｃ）に供給して精白するという点を核心とするものであって、この玄米層と混合米層のものを混合することによって玄米に対する籾の混入比を３〜５パ−セントにして玄米中に適量の籾を混入させることにより精米部（Ｃ）で脱ぷした籾殻を媒介物として精白作用を促進し精白効率を向上させるというものである。
【００１８】
そして、このものは混合米域（ｙ）に生成される混合米層のものが揺動選別部（Ｂ）に還元されないか、または、還元するにしてもその量が減量するから、揺動選別板（１）の揺動による玄米と籾の偏流を顕著なものにするために、脱ぷ風選部（Ａ）における脱ぷ率を通常の８５パ−セントから９０〜９５パ−セントに上げるのが好ましいのである。
【００１９】
また、この発明による籾摺精米機では、籾からすべて白米にすることもできるし、籾のすべてを玄米として取出すこともでき、また、玄米と白米にして同時に取出すことができるのであるが、「図６」に示してあるように、混合米を揺動選別部（Ｂ）に供給する混合米供給樋（２５）で形成された連通経路（３）を分岐し、その分岐路（４）を精米部（Ｃ）の玄米漏斗（１３）に連通し分岐部には切換弁（５）を設けて、脱ぷ風選部（Ａ）からの混合米を直接精米部（Ｃ）に供給するようにも可能なものにして、脱ぷ率が９５パ−セント以上のときのように高脱ぷ率のとき、揺動選別部（Ｂ）を通過させることなく精米部（Ｃ）に供給して籾からすべて白米にして取出すこともできるようにしてある。
【００２０】
【発明の効果】
本発明は以上説明したように、脱ぷ風選部（Ａ）と、玄米と籾の混合米を選別する揺動選別部（Ｂ）と、揺動選別したものを精白する精米部（Ｃ）とからなる籾摺精米機であって、揺動選別板（１）の揺動作用によって混合米中の玄米と籾が該板（１）上で偏流して形成する玄米域（ｘ）と混合米域（ｙ）とから流出するものを精米部（Ｃ）に供給し、籾域（ｚ）から流出する籾を脱ぷ風選部（Ａ）に還元する構成にしたことを特徴とするものであるから、玄米域（ｘ）と混合米域（ｙ）に生成される玄米層と混合米層のものが混合して適量の籾の混入したものが精米部（Ｃ）に供給されて、その混入する籾が精白作用の始期に脱ぷし、脱ぷした籾殻が媒介物となって精白作用が促進され精白効率を向上させるとともに、玄米中に適量の籾を混入するための格段の方途を講ずることも不必要になるので機体もシンプルなものになるのである。
【図面の簡単な説明】
【図１】籾摺精米機の側面図である。
【図２】同籾摺機の平面図である。
【図３】揺動選別部の平面図である。
【図４】同揺動選別部の前面図である。
【図５】玄米の移送取出と混合米の移送還元及び籾の還元手段を示した平面図である。
【図６】他の例図を示す籾摺精米機の平面図である。
【符号の説明】
Ａ    脱ぷ風選部
Ｂ    揺動選別部
Ｃ    精米部
１    揺動選別板
２    切替弁
３    連通経路
４    分岐路
５    切換弁
ｘ    玄米域
ｙ    混合米域
【図１】
0003581446.tif 000002
【図２】
0003581446.tif 000003
【図３】
0003581446.tif 000004
【図４】
0003581446.tif 000005
【図５】
0003581446.tif 000006
【図６】
0003581446.tif 000007